(57)【要約】【課題】  情報の重要度に応じて品質の異なる伝送路を使用する情報処理システムにおいて、低品質伝送路の影響による信頼性の低下を回避して全体の信頼性を確保し、且つ構成の効率化を図って経済性を向上させる。【解決手段】  処理部２１、２２は、重要度の高いＴＣ情報及び重要度の低いＭＡＳ情報の両方を処理可能であり、相互の健全性を監視して互いの異常を検知するように構成される。平常時は処理部２１はＴＣ機能用としてのみ動作し、処理部２２はＭＡＳ機能用としてのみ動作するようになっている。処理部２１の上位側は、親局装置のＴＣＭ１１と、通信ネットワークＮ１０中の回線Ｎ１１で接続される。また、処理部２２の上位側は、処理部２１が異常であるとき使用する通信ネットワークＮ１０中の回線Ｎ１２と、通信ネットワークＮ２０中の回線Ｎ２１で接続される。【選択図】  図１
2006340573.tif 000002
【特許請求の範囲】
【請求項１】
重要度の高い情報を処理する重要情報処理部及び重要度の低い情報を処理する非重要情報処理部を有する制御装置と、前記制御装置により制御される被制御装置と、情報伝送に関して信頼性の高い高品質伝送路と、該高品質伝送路に比べ情報伝送に関して信頼性の低い低品質伝送路とから構成され、前記被制御装置には少なくとも重要度の高い情報を処理する第１の処理部と、少なくとも重要度の低い情報を処理する第２の処理部とが設けられ、前記高品質伝送路により重要度の高い情報を伝送し、前記低品質伝送路により重要度の低い情報を伝送する情報処理システムにおいて、
前記被制御装置側の第１及び第２の処理部のうち、少なくともいずれか一方は、重要度の高い情報と低い情報の両方を処理可能であり、
前記高品質伝送路により重要度の高い情報と低い情報の両方を伝送することを特徴とする情報処理システム。
【請求項２】
前記高品質伝送路を介して重要度の低い情報が前記制御装置の前記重要情報処理部に伝送された場合、該重要情報処理部から前記非重要情報処理部へ重要度の低い情報を送る伝送手段を備えたことを特徴とする請求項１に記載の情報処理システム。
【請求項３】
前記第１及び第２の処理部は相互の健全性を監視してその異常を検知し、
前記第１の処理部及び前記第２の処理部のうちいずれか一方の処理部の異常を検知した場合に、健全である他方の処理部が重要度の高い情報と低い情報の両方を処理することを特徴とする請求項１又は２に記載の情報処理システム。
【請求項４】
制御装置及び被制御装置で重要度の高い情報と低い情報を処理する情報処理方法であって、制御装置側の重要情報処理部が重要度の高い情報を、非重要情報処理部が重要度の低い情報をそれぞれ処理し、被制御装置側の第１の処理部が少なくとも重要度の高い情報を、第２の処理部が少なくとも重要度の低い情報をそれぞれ処理し、情報伝送に関して信頼性の高い高品質伝送路にて重要度の高い情報を伝送し、前記高品質伝送路に比べ情報伝送に関して信頼性の低い低品質伝送路にて重要度の低い情報を伝送する情報処理方法において、
前記被制御装置側の第１及び第２の処理部のうち、少なくともいずれか一方が重要度の高い情報と低い情報の両方を処理する複合処理ステップと、
前記高品質伝送路により重要度の高い情報と低い情報の両方を伝送する複合伝送ステップを含むことを特徴とする情報処理方法。
【請求項５】
前記第１の処理部及び前記第２の処理部が相互の健全性を監視してその異常を検知する監視ステップと、
前記第１の処理部及び前記第２の処理部のうちいずれか一方の処理部の異常を検知した場合に、健全である他方の処理部が前記複合処理ステップを行うことを特徴とする請求項４に記載の情報処理方法。
【請求項６】
制御装置において重要情報処理部が重要度の高い情報を処理し、非重要情報処理部が重要度の低い情報を処理し、被制御装置において第１の処理部が少なくとも重要度の高い情報を処理し、第２の処理部が少なくとも重要度の低い情報を処理し、情報伝送に関して信頼性の高い高品質伝送路にて重要度の高い情報を伝送し、前記高品質伝送路に比べ情報伝送に関して信頼性の低い低品質伝送路にて重要度の低い情報を伝送するために用いられる情報処理用プログラムにおいて、
前記被制御装置側の第１及び第２の処理部のうち、少なくともいずれか一方が重要度の高い情報と低い情報の両方を処理する機能と、
前記高品質伝送路により重要度の高い情報と低い情報の両方を伝送する機能、
をコンピュータに実現させることを特徴とする情報処理用プログラム。
【請求項７】
前記第１の処理部及び前記第２の処理部が相互の健全性を監視してその異常を検知する機能と、
前記第１の処理部及び前記第２の処理部のうちいずれか一方の処理部の異常を検知した場合に、健全である他方の処理部は重要度の高い情報と低い情報の両方を処理する機能、
をコンピュータに実現させることを特徴とする請求項６に記載の情報処理用プログラム。
【請求項８】
親局である制御所と、この制御所に制御される子局である被制御所とが設けられ、被制御所には監視制御及び保守支援の対象となる電力用機器が接続され、前記制御所及び被制御所間で重要度の高い情報として電力用機器に関する監視制御情報をやり取りし、重要度の低い情報として電力用機器に関する保守支援情報をやり取りする電力用機器の遠方監視制御装置であって、
前記制御所側には、前記監視制御情報を処理する遠方監視用親局装置と、前記保守支援情報を処理する保守支援用親局装置とが設けられ、
前記被制御所側には、前記監視制御情報又は前記保守支援情報もしくは両方を処理するために請求項１〜３のいずれかに記載の第１及び第２の処理部が設けられ、
前記処理部の下位側には、前記電力用機器との間で情報を授受するための入出力部が設けられ、
前記処理部の上位側には、請求項１〜３のいずれかに記載の高品質伝送路及び低品質伝送路が設けられたことを特徴とする遠方監視制御装置。
【請求項９】
前記高品質伝送路により前記保守支援情報を前記遠方監視用親局装置に伝送した場合には、該遠方監視用親局装置から前記保守支援用親局装置へこの保守支援情報を送る伝送手段が設けられたことを特徴とする請求項８に記載の遠方監視制御装置。
【発明の詳細な説明】
【技術分野】
【０００１】
本発明は、電力用機器に適用される遠方監視制御装置など、制御装置と被制御装置との間で情報を伝送し処理する情報処理システムに係り、特に、情報伝送の信頼性に関して品質が異なる複数の伝送路を備え、情報の重要度に応じて品質の異なる伝送路を用いて情報伝送する情報処理システムにおいて、信頼性の維持と経済性及び効率の向上の両立を図ったものである。
【背景技術】
【０００２】
一般に、電気所には遮断器や断路器など様々な電力用機器が設置されており、これらの電力用機器は複数の情報処理システムの元で稼動している。例えば、機器の状態を遠方から監視してこれらの機器を制御するために、遠方監視制御装置（以後、ＴＣと略す）が採用されている。この装置では、サーバ計算機を含む制御所と、ユーザ側のクライアント計算機を含む被制御所とをネットワークを介して接続することにより接続されており、被制御所側に配置された電力用機器電力用機器の稼動状態の監視情報や各機器の運転制御情報を、制御所側で集中的に管理する分散処理型の情報処理システムを採用している。
【０００３】
また、上記ＴＣとは別に、電力用機器には保守支援システム（以後、ＭＡＳと略す）が知られている。このシステムは遮断器の動作回数や遮断速度を計測したり、トランスの油圧監視、さらには機器状態の異常判断を行っており、電力用機器に対する信頼性の向上、保守作業の効率化及び事故の未然防止等を図っている。ＭＡＳで処理される情報（以後、ＭＡＳ情報と呼ぶ）は、一旦保存して編集してから用いることもあり、ＴＣで処理される情報（以後、ＴＣ情報と呼ぶ）に比べれば緊急性は少なく、情報の重要度は低いと言える。しかも、ＭＡＳ情報の情報量は大きいことが多い。そのため、ＭＡＳ情報を扱う回線は、イントラネットでブロードバンドを利用することが一般的である。これに対して、前記ＴＣ情報は機器の制御指令など緊急性や必要性の高い情報であり、情報伝送の信頼性を確保する必要上、もっぱら専用回線を用いて伝送している。
【０００４】
ここで、従来のＴＣ及びＭＡＳの構成について図７のブロック図を用いて具体的に説明する。これらのシステムは制御所（以後、親局と称する）と、各種の電力用機器が接続された被制御所（以後、子局と称する）とを有している。
【０００５】
まず、ＭＡＳについて説明する。親局側には保守支援用親局装置（以後、ＧＣＭと略す）１２が設置され、子局側には保守支援用子局装置（以後、ＧＣＲと略す）４０が設置される。ＧＣＲ４０は処理部２２と入力部２５ｂで構成されており、電力用機器１０１、１０２、１０３に接続される。これらの機器のうち、１０１及び１０２はＴＣ側にも接続される監視制御・保守支援兼用の機器であり、１０３は保守支援専用の機器である。
【０００６】
また、ＧＣＭ１２とＧＣＲ４０との間は通信ネットワークＮ２０の回線Ｎ２１で接続されている。通信ネットワークＮ２０は、ＴＣ情報に比べれば重要度の低いＭＡＳ情報を伝送するためのものなので、事務用やメール用等と共有されるイントラネットが利用されている。このようなＭＡＳでは入力部２５ｂが電力用機器１０１、１０２、１０３からＭＡＳ情報を入力し、処理器２２にてこれを処理して通信ネットワークＮ２０の回線Ｎ２１を介してＧＣＭ１２に送っている。
【０００７】
続いて、ＴＣについて説明する。ＭＡＳ側と同じく、親局側には遠方監視制御用親局装置（以後、ＴＣＭと略す）１１が設置され、子局側には遠方監視制御用子局装置（以後、ＴＣＲと略す）２０が設置されている。また、ＴＣＲ２０は処理部２１と入出力部２５ａで構成され、電力用機器１００、１０１、１０２に接続されている。これらの機器のうち、１００が監視制御専用の機器である。さらに、ＴＣＭ１１とＴＣＲ２０の間は通信ネットワークＮ１０の回線Ｎ１１で接続されている。通信ネットワークＮ１０は、重要度の高いＴＣ情報を伝送するため、専用回線が利用されている。このようなＴＣではＴＣＲ２０の入力部２５ａが電力用機器１００、１０１、１０２に対してＴＣ情報の入出力を行い、処理器２１にてこれを処理して通信ネットワークＮ１０の回線Ｎ１１を介してＧＣＭ１２に送っている。  
【特許文献１】特開平６―９８４６７号公報
【発明の開示】
【発明が解決しようとする課題】
【０００８】
ところで、前述したようにＭＡＳ情報はＴＣ情報に比べて重要度が低いため、ＭＡＳ側の通信ネットワークＮ２０にイントラネットを使用しても、安全上、さして問題とはならない。しかし、ＴＣ情報をイントラネットによって伝送することは、ＴＣ情報がイントラネットから悪影響を受け、ＴＣ側の機能の信頼性を失わせる可能性があるため、行っていない。すなわち、ＴＣ情報の伝送に低品質伝送路を用いることはあり得ず、安全性を優先する観点から、ＴＣとＭＡＳとでは、情報伝送に際して通信ネットワークを共有することはなく、互いに独立した別々の通信ネットワークを利用している。
【０００９】
したがって、ＴＣとＭＡＳにおいて共通して接続される機器１０１、１０２が存在し、ＴＣ及びＭＡＳが入力する電力用機器１０１、１０２からの情報が、たとえ同一であったとしても、それぞれを別の通信ネットワークから別個に入力していた。その結果、ＭＡＳ側に接続される電力用機器１０３の状態を入力するための入力部２５ｂはもちろん、ＴＣ側で入力している電力用機器１０１、１０２の故障接点や状態接点、および計測用トランスジューサなども別にＭＡＳ用として設備する必要があり、システム構成の複雑化を招いていた。
【００１０】
このように、複数の処理部に共通の機器を接続する場合、各処理部毎に入出力手段を別々に設けなくてはならず、システム構成の複雑化に伴って、経済性や効率が低下していた。なお、以上の状況はＴＣ及びＭＡＳを含むシステムに限った問題ではなく、情報の重要度に応じて品質の異なる伝送路を使用する情報処理システムでは共通の課題となっており、重要度の高い情報の処理部に対し低品質伝送路からの影響が及ぶことを回避し、信頼性と経済性が共に優れたシステムが待たれていた。
【００１１】
本発明は、上記の事情を鑑みてなされたものであり、情報の重要度に応じて品質の異なる伝送路を使用する情報処理システムにおいて、低品質伝送路の影響による信頼性の低下を回避してシステム全体の信頼性を確保し、その上で構成の効率化を図ることにより経済性を向上させることを目的としたものである。
【課題を解決するための手段】
【００１２】
上記目的を達成するために、本発明は、重要度の高い情報を高品質伝送路で伝送し、重要度の低い情報に関しては低品質伝送路で伝送している情報処理システムにおいて、重要度の高い情報と低い情報の両方を処理可能な処理部を設け、重要度の高い情報だけではなく重要度の低い情報も高品質伝送路で伝送するようにしたものである。
【００１３】
すなわち、本発明は、重要情報処理部及び非重要情報処理部を有する制御装置と、前記制御装置により制御される被制御装置と、重要度の高い情報を伝送する高品質伝送路と、重要度の低い情報を伝送する低品質伝送路とから構成された情報処理システムにおいて、前記被制御装置には第１及び第２の処理部が設けられ、これらのうちのいずれか一方は、重要度の高い情報と低い情報の両方を処理可能であり、前記高品質伝送路により重要度の高い情報と低い情報の両方を伝送することを特徴としている。
【００１４】
以上の構成を有する本発明によれば、被制御装置側の処理部が重要度の高い情報と低い情報の両方を処理する時、これら２種類の情報を、高品質伝送路だけを利用して制御装置側に送ることができるので、重要度の高い情報を処理する処理部が低品質伝送路から悪影響を受けるおそれがなく、情報伝送に関して優れた信頼性を確保することが可能である。このようにして、品質の異なる伝送路を有するシステムであっても全体の信頼性を確保しているので、従来技術のように低品質伝送路へ情報を流す構成と、高品質伝送路へ情報を流す構成とを全く別々に設けるのではなく、被制御装置側に機器を接続した場合にその接続構成の効率を高めることが可能であり、システム構成の簡略化が容易となる。
【００１５】
また、本発明は、前記２つの処理部は相互の健全性を監視し、いずれか一方の処理部の異常を検知した場合に、健全である他方の処理部が重要度の高い情報と低い情報の両方を処理するようにしたものを包含している。
【００１６】
このような発明によれば、被制御装置側に組み込まれた２つの処理部のうち、一方が故障した場合でも、もう一方の処理部だけで２つ分の処理部の役割を担うことができ、その際には高品質伝送路だけを用いて情報伝送が可能であるため、故障した処理部を補償するバックアップ機能を十分に果たすことが可能である。  
【００１７】
なお、本発明における用語において、情報の「重要度」とは緊急性や必要性を考慮して決定される尺度であるが、あくまでも相対的なレベルであり、その設定は適宜選択可能である。また、伝送路に対する「信頼性」とは、障害許容性や回復性といった点に留まらず、セキュリティの高さや保守性の良好さも含む広い概念として定義する。
【発明の効果】
【００１８】
以上のように、本発明によれば、被制御装置側の処理部が重要度の高い情報と低い情報の両方を処理し、ここで処理した２種類の情報を高品質伝送路だけを介して制御装置側に伝送することにより、低品質伝送路による悪影響を回避して十分な信頼性を確保しつつ、システム構成の簡略化を図ることができ、情報伝送に関する信頼性の確保と経済性及び効率性の向上を両立させることが可能な情報処理システム、方法及びプログラム並びにそれを適用した遠方監視制御装置を提供することができる。
【発明を実施するための最良の形態】
【００１９】
以下、本発明を実施するための最良な形態（以下、実施形態）の一例を図１〜図３のブロック図を参照して具体的に述べる。なお、本実施形態は重要度の異なる２種類の情報を、重要度に応じた品質の伝送路で伝送する情報処理システムに適用されており、図７にて示した従来技術と同じく、ＴＣ及びＭＡＳを含む電力用機器の遠方監視制御装置に用いられている。したがって、図７にて示した従来技術と同一部分に関しては同一符号を付して説明は省略する。また、本実施形態の各部は周辺装置を備えたコンピュータをプログラムで制御することで実現でき、その場合のハードウェアやプログラムの実現態様は各種変更可能である。さらに、本発明は情報処理システム及びその方法に加えて、上記プログラム、そのプログラムを記録したコンピュータ読取可能な記録媒体としても把握可能である。
【００２０】
図１は、本実施形態に係るＴＣＲ２０を中心としたブロック図である。図１に示すように、親局装置側のＴＣＭ１１及びＧＣＭ１２にはＴＣＭ１１からＧＣＭ１２へ重要度の低い情報であるＭＡＳ情報を伝送するために、サーバなどを介したＬＡＮからなる回線Ｃ０が接続されている。ＴＣＲ２０は高品質伝送路である通信ネットワークＮ１０を介してＴＣＭ１１と接続され、低品質伝送路である通信ネットワークＮ２０を介してＧＣＭ１２と接続されている。
【００２１】
ＴＣＲ２０は、互いに接続される２式の処理部２１、２２と、処理部２１、２２に接続される出力部２３及び入力部２４とから構成される。各処理部２１，２２のハードウェアの構成例としては、例えば、通信部、プロセッサ部、バス結合部、相互監視用信号の入出力部等がある。処理部２１には、ＴＣＭ１１向けの1チャンネルが装備され、処理部２２にはＴＣＭ１１向けとＧＣＭ１２向けの２チャンネルが装備されている。
【００２２】
出力部２３と入力部２４とはそれぞれ各処理部２１、２２に接続されている。出力部２３は外部の機器を制御する制御信号を初めとするＴＣ情報を出力する部分であり、入力部２４は機器状態や故障を表示する情報や各種計測情報を含むＴＣ情報及びＭＡＳ情報を入力する部分である。
【００２３】
続いて、本発明の主要部である処理部２１、２２について説明する。
【００２４】
処理部２１、２２はいずれもが、重要度の高いＴＣ情報及び重要度の低いＭＡＳ情報の両方を処理可能であり、ＴＣ情報を処理するＴＣ機能と、ＭＡＳ情報を処理するＭＡＳ機能とは切替可能であって、且つ両方の機能の全てあるいは一部を同時に果たすことも可能である。また、処理部２１、２２は、相互監視用信号の授受により、相互の健全性を監視してその異常を検知可能である。そして、処理部２１、２２が健全である平常時は、処理部２１はＴＣ情報を処理するＴＣ機能用としてのみ動作し、処理部２２はＭＡＳ機能用としてのみ動作する。
【００２５】
処理部２１の上位側は、親局装置のＴＣＭ１１と、直接、ＴＣ用伝送路である通信ネットワークＮ１０中の回線Ｎ１１により接続されている。処理部２２の上位側は、前記通信ネットワークＮ１０中の回線Ｎ１２及びＭＡＳ用伝送路である通信ネットワークＮ２０中の回線Ｎ２１に接続されている。通信ネットワークＮ１０中の回線Ｎ１２は親局装置のＴＣＭ１１に接続され、通信ネットワークＮ２０中の回線Ｎ２１は親局装置のＧＣＭ１２に接続される。ただし、回線Ｎ１２は処理部２１が健全であるという条件では使用することなく(図１では点線で示している)、処理部２１が故障した場合にのみ使用される。なお、回線Ｎ１２が使用されると、通信ネットワークＮ２０は処理部２２から切り離される。
【００２６】
また、処理部２１、２２の下位側は、回線Ｃ１〜Ｃ４により出力部２３と入力部２４の両方に接続されている。なお、回線Ｃ１〜Ｃ４のうち、処理部２２の下位側と出力部２３を接続する回線Ｃ４は、処理部２１が健全の条件では使用されることはない(図１では点線で示す)。
【００２７】
本実施形態の動作について図１〜図３のブロック図に加えて、図４のフローチャートを用いて説明する。第１及び第２の処理部２１、２２は相互の健全性を監視しており(Ｓ１)、両方とも平常である場合(Ｓ２のＹＥＳ)、ＴＣの出力動作は次の通りである。まず、ＴＣＭ１１からのＴＣ情報は、通信ネットワークＮ１０中の回線Ｎ１１により、処理部２１へと直接伝送し、処理部２１にて所定の処理を行った後、出力部２３に出力する(Ｓ３〜Ｓ４)。
【００２８】
次にＴＣ及びＭＡＳの入力動作を説明する。ＴＣ情報及びＭＡＳ情報を、図示されない機器から入力部２４で入力し、全情報又はＴＣ用とＭＡＳ用に分けた各情報を、回線Ｃ２、Ｃ３を介して処理部２１と処理部２２に入力する。処理部２１、２２ではそれぞれ所定の処理を行い、ＴＣ情報に関しては通信ネットワークＮ１０中の回線Ｎ１１によって処理部２１からＴＣＭ１１に、ＭＡＳ情報に関しては通信ネットワークＮ２０中の回線Ｎ２１によって処理部２２からＧＣＭ１２に、それぞれ処理後の情報を伝送する(Ｓ５〜Ｓ８)。
【００２９】
続いて、本実施形態の処理部２１、２２のいずれかが故障した場合について図２及び図３を参照して説明する。まず処理部２１の異常時について図２を用いて説明する。処理部２１が故障した場合、処理部２１の異常を処理部２２が検出する(Ｓ９)。このとき、処理部２２は、まず、ＧＣＭ１２との情報伝送を停止して通信ネットワークＮ２０を切り離す(Ｓ１０)。その後、通信ネットワークＮ１０中の回線Ｎ１２により、処理部２２が直接ＴＣＭ１１に切替えて接続する(Ｓ１１)。さらに、回線Ｃ４(図２では太実線で示す)を介して出力部２３を処理部２２に接続する(Ｓ１２)。
【００３０】
そして処理部２２は、その機能をＭＡＳ用からＴＣ用へ、またはＴＣ用及びＭＡＳ用の一部または全機能を処理するように切り替えて動作を開始する(Ｓ１３)。ＴＣ用機能及びＭＡＳ用機能の一部または全部を動作させるときには、ＴＣ情報とＭＡＳ情報の両方を通信ネットワークＮ１０の回線Ｎ１２(図２では太実線で示す)で伝送する(Ｓ１４)。最後に、受信する親局装置のＴＣＭ１１からＧＣＭ１２に回線Ｃ０を介してＭＡＳ情報を転送する(Ｓ１５)。
【００３１】
一方、処理部２２の異常時について図３を参照して説明する。処理部２２が故障した場合、処理部２２の異常を処理部２１が検出する(Ｓ１６)。このとき、処理部２１は、接続状態は変えず、処理の内容をなにも変えずにＴＣ用機能のみの処理を継続するか、またはＭＡＳ用機能の一部の機能や情報の処理を追加処理するか、またはＭＡＳ機能の全機能をバックアップするかを行う(Ｓ１７)。
【００３２】
このうち、ＭＡＳ用機能を一部でもバックアップしたときには、ＴＣ情報とＭＡＳ情報の両方を、高品質伝送路である通信ネットワークＮ１０中の回線Ｎ１１によって親局装置のＴＣＭ１１に伝送し(Ｓ１８)、ＴＣＭ１１からＧＣＭ１２に回線Ｃ０を介してＭＡＳ情報を転送する(Ｓ１９)。
【００３３】
上記のように本実施形態においては、従来ではＴＣ機能とＭＡＳ機能のシステムを別個に構築していたものを、ＴＣ内に共存させている。これにより、次の３つの効果を発揮することができる。第１の効果としては、平常時ではＭＡＳ用としていた処理部２２をＴＣ用の処理部２１のバックアップとして、高い信頼性を確保したまま使用することができる。また、ＭＡＳ用である処理部２２に異常が発生した場合においても、ＴＣ用の処理部２１により情報処理のバックアップが可能であり、ＭＡＳ機能の信頼性が向上する。
【００３４】
第２の効果として、一般的にＭＡＳ用伝送路は膨大な情報を制御所に収集するために事務用やメール等などと共有するイントラネットといった低品質の伝送路である場合が多く、ＴＣ用にはセキュリティ面で問題があって使用することはできない。そこで上記実施形態では、ＴＣ用として動作する処理部２１を、常にＭＡＳ用の伝送路とは切り離された状態にしている。これにより、平常時もＴＣのバックアップ運転時も、イントラネット側からの影響は皆無であり、ＴＣとして優れた信頼性を発揮することができる。
【００３５】
さらに第３の効果として、高品質の伝送路を用いることにより信頼性を確保しつつ重要度の異なる情報を伝送可能なので、例えばＴＣとＭＡＳで共通の接続機器から同一の情報を伝送する場合にインターフェースの共用化が容易であり、システムの効率化を図ることができる。具体的には、ＴＣとＭＡＳの両方に接続される機器のそれぞれに対応して、入力部、故障接点や状態接点、さらには計測用トランスジューサなどを設置する必要がなくなり、経済性が大幅に向上する。
【００３６】
なお、本発明は、前記実施形態に限定されるものではなく、遠方監視制御装置以外にももちろん適用可能であるが、遠方監視制御装置に限っただけでも、次のような他の実施形態を包含する。例えば、上記の実施形態では処理部２１の異常時において通信ネットワークＮ１０の回線Ｎ１２を用いていたが、ＴＣＲ２０内にＴＣＭ１１と接続される回線Ｎ１１を処理部２１及び処理部２２間で切替える伝送切替部を設置することにより、前記回線Ｎ１２を省いてもよい。
【００３７】
また、図５に示す実施形態では、処理部２２とＴＣＭ１１間の回線Ｎ１２に加えて、処理部２１とＧＣＭ１２間もＴＣ用伝送路である通信ネットワークＮ１０の回線Ｎ１３により接続する構成としても良い。したがって、上記実施形態における親局装置のＴＣＭ１１とＧＣＭ１２とをつなぐ回線Ｃ０を省略することができ、ＭＡＳ情報を親局でのＴＣＭ１１からＧＣＭ１２に転送する必要がない。このような実施形態によれば、処理部２２の異常時に、ＴＣ用の回線とは異なる独立したＭＡＳ用の回線Ｎ１３で、全てのＭＡＳ情報をＧＣＭ１２に伝送することができる。このため、通信ネットワークＮ１０の性能低下が起きる心配がない。したがって、ＭＡＳのバックアップ時であっても、ＴＣ及びＭＡＳの両方の機能縮退がない。
【００３８】
さらに図６に示す実施形態では、処理部２１とＧＣＭ１２間の回線をＭＡＳ用伝送路である通信ネットワークＮ２０の回線Ｎ２２により接続している。この場合、通信ネットワークＮ２０は低品質であるため、前記回線Ｎ２２を使用する場合には、処理部２１のセキュリティ機能を高くする必要があり、これにより同様の作用効果を発揮することが可能である。
【００３９】
また、ＴＣＲ２０内の処理部２１，２２に電力用機器を接続する入力部と出力部の構成は適宜選択自由であり、図１〜図３で示した実施形態のように出力部２３と入力部２４の組み合わせの他、ＴＣ用の入出力部と、ＭＡＳ用の入力部（または入出力部）に分けてそれぞれを処理部２１と２２の両方に接続しても良い。このような実施形態によれば、相互の保守性が向上するため、動作信頼性も高まるという利点がある。
【００４０】
また、上記の出力部２３と入力部２４とを一緒にした入出力部として構成し、これを処理部２１と２２の両方に接続してもかまわない。この場合、処理部２１がＭＡＳ用機能を果たす際、ＭＡＳ用伝送路側から完全に切り離された状態とならないため、セキュリティ面で対策を施す必要があるが、処理部２１、２２の稼動状態に応じて入出力部との接続構成が変化することがないため、動作安定性は向上する。さらに、処理部とインターフェースとの接続構成も適宜選択可能であり、両者をバスを用いて接続しても前記実施形態と同様の作用効果を得ることができる。
【図面の簡単な説明】
【００４１】
【図１】本発明を適用した遠方監視制御装置の１つの実施形態を示すブロック図。
【図２】本実施形態において処理部２１が故障した場合のブロック図。
【図３】本実施形態において処理部２２が故障した場合のブロック図。
【図４】本実施形態の動作を説明するためのフローチャート。
【図５】本発明を適用した他の実施形態のブロック図。
【図６】本発明を適用した他の実施形態のブロック図。
【図７】従来の遠方監視制御装置のブロック図。
【符号の説明】
【００４２】
１１…ＴＣＭ(遠方監視制御用親局装置)
１２…ＧＣＭ(保守支援用親局装置)
２０…ＴＣＲ(遠方監視制御用子局装置)
２１、２２…処理部
２３…出力部
２４…入力部
４０…ＧＣＲ(保守支援用子局装置)
Ｎ１０、Ｎ２０…通信ネットワーク
Ｃ０〜Ｃ４、Ｎ１１、Ｎ１２、Ｎ２１…回線
１００、１０１、１０２、１０３…電力用機器
【図１】
2006340573.tif 000003
【図２】
2006340573.tif 000004
【図３】
2006340573.tif 000005
【図４】
2006340573.tif 000006
【図５】
2006340573.tif 000007
【図６】
2006340573.tif 000008
【図７】
2006340573.tif 000009